(57)【要約】      （修正有）【課題】キャビネット用のテーブルの昇降装置に関し、特にバネ等の付勢手段を用いてテーブルを昇降することができるようにしたものである。【解決手段】昇降装置１０には、キャビネット、開口、昇降ユニット４０、蓋部（例えば上枠４２）、テーブル５０、付勢手段、付勢手段の付勢力に抗して昇降ユニット４０を下降位置にロックする第１ロック手段、テーブル５０を展開位置にロックする第２ロック手段、第２ロック手段がロック状態となったことに連動させて、昇降ユニット４０を上昇位置にロックするとともに、第２ロック手段のロック状態が解除されたことに連動させて、ロック状態を解除可能な第３ロック手段を備える。【選択図】図１
2010200852.tif 000002
【特許請求の範囲】
【請求項１】
天板を有するキャビネットと、
前記天板に設けられた開口と、
前記キャビネットに昇降可能に取り付けられ、下降位置では、前記キャビネットに収納され、上昇位置では、前記開口を通して前記天板の上方に突出する昇降ユニットと、
前記昇降ユニットの上端部に位置し、当該昇降ユニットの前記下降位置において、前記開口を閉じる蓋部と、
前記昇降ユニットに旋回可能に支持され、当該昇降ユニットの前記上昇位置において前記昇降ユニットの前方に開く展開位置と、前記展開位置から昇降ユニットに向かって折り畳まれ、前記開口を通過可能な折畳位置との間で旋回するテーブルと、
前記昇降ユニットを前記下降位置から前記上昇位置に向かって付勢する付勢手段と、
前記付勢手段の付勢力に抗して前記昇降ユニットを前記下降位置にロックするとともに、当該ロック状態において、前記蓋部が下方に押し込まれた際に、前記ロック状態を解除可能な第１ロック手段と、
前記テーブルを前記折畳位置から前記展開位置に向かって旋回させたときに、当該展開位置に前記テーブルをロックするとともに、前記テーブルを前記展開位置を行き過ぎて旋回させた際に、前記ロック状態を解除可能な第２ロック手段と、
前記第２ロック手段がロック状態となったことに連動させて、前記昇降ユニットを前記上昇位置にロックするとともに、前記第２ロック手段のロック状態が解除されたことに連動させて、前記ロック状態を解除可能な第３ロック手段とを備えていることを特徴とするキャビネット用のテーブルの昇降装置。
【請求項２】
請求項１に記載のキャビネット用のテーブルの昇降装置であって、
前記昇降ユニットと前記テーブルとの間には、
前記テーブルを前記折畳位置から前記展開位置に向かって付勢する展開手段と、
前記展開手段の付勢力に抗して前記テーブルを前記折畳位置にロックするとともに、前記昇降ユニットの前記上昇位置において、前記ロックを解除可能な第４ロック手段とを備えていることを特徴とするキャビネット用のテーブルの昇降装置。
【請求項３】
請求項２に記載のキャビネット用のテーブルの昇降装置であって、
前記昇降ユニットと前記テーブルとの間には、
前記展開手段の付勢力により前記テーブルを前記折畳位置から前記展開位置に向かって旋回した際に弾性的に当接することで、前記展開手段の付勢力を受け止める仮ロック手段を備えていることを特徴とするキャビネット用のテーブルの昇降装置。
【請求項４】
請求項１〜３のいずれか１項に記載のキャビネット用のテーブルの昇降装置であって、
前記キャビネット内には、
前記昇降ユニットの左右両側を昇降可能に支持する左右一対のサイドレールと、
前記左右のサイドレールの間に位置し、前記昇降ユニットの左右方向の傾きを防止するためのセンターレールとを備えていることを特徴とするキャビネット用のテーブルの昇降装置。
【発明の詳細な説明】
【技術分野】
【０００１】
この発明は、キャビネット用のテーブルの昇降装置に関し、特にバネ等の付勢手段を用いてテーブルを昇降することができるようにしたものである。
【背景技術】
【０００２】
従来、アイランドキッチンの格納式収納容器を、モータユニットの駆動力を利用して昇降するようにしたものが知られている（例えば特許文献１の段落番号「０００８」及び「０００９」、並びに図１及び図２参照）。
【先行技術文献】
【特許文献】
【０００３】
【特許文献１】特開2007-185449号公報
【発明の概要】
【発明が解決しようとする課題】
【０００４】
しかし、上記した従来の格納式収納容器では、昇降にモータユニットの駆動力を利用していたため、設置に際して電源供給が必要なり、設置が面倒であり、又、構造が複雑で高価になるという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、バネ等の付勢手段を用いてテーブルを昇降することができるようにしたものである。
このため、請求項１に記載の発明によれば、電源供給が不要であり、上記した従来の格納式収納容器と比較して、設置が容易であり、又、構造も簡便にできる利点がある。
また、請求項１に記載の発明によれば、テーブルを上昇させる際に、昇降ユニットの蓋部をキャビネット内に押し込むだけで良く、操作性が良い。
【０００６】
さらに、請求項１に記載の発明によれば、テーブルを折畳位置から展開位置に向かって旋回させることにより、昇降ユニットを上昇位置にロックできるので、昇降ユニットを上昇位置にロックさせるための特別の操作が不要であり、又、昇降ユニットを上昇位置にロックし忘れを防止できる。
また、請求項１に記載の発明によれば、テーブルを展開位置を行き過ぎて旋回させることにより、昇降ユニットを上昇位置のロックを解除できるので、昇降ユニットの上昇位置のロックを解除させるための特別の操作が不要である。
（請求項２）
請求項２に記載の発明は、上記した請求項１に記載の発明の目的に加え、次の点を目的とする。
【０００７】
すなわち、請求項２に記載の発明は、昇降ユニットを上昇位置において、テーブルを自動的に展開させることができるようにしたものである。
（請求項３）
請求項３に記載の発明は、上記した請求項２に記載の発明の目的に加え、次の点を目的とする。
【０００８】
すなわち、請求項３に記載の発明は、テーブルが展開位置を過ぎて旋回するのを未然に防止することができるようにしたものである。
（請求項４）
請求項４に記載の発明は、上記した請求項１〜３のいずれか１項に記載の発明の目的に加え、次の点を目的とする。
【０００９】
すなわち、請求項４に記載の発明は、昇降時の昇降ユニットの傾きのを未然に防止することができるようにしたものである。
すなわち、請求項１に記載の発明によれば、昇降ユニットの端が押されたときに、昇降ユニットが仮に傾いてしますと、キャビネット内に収納し難くなるおそれがあり、これを防止することができる。また、昇降ユニットの端が押されたときに、昇降ユニットが仮に傾いてしますと、第１ロック手段のロック状態の解錠動作やロック動作が不確実になるおそれがあり、これらも防止することができる。
【課題を解決するための手段】
【００１０】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１１】
すなわち、キャビネット(20)用のテーブル(50)の昇降装置(10)には、次の構成を有する。
（１）キャビネット(20)
キャビネット(20)は、例えば図３〜５に示すように、天板(21)を有するものである。
（２）開口（図示せず）
開口は、図示しないが、天板(21)に設けられたものである。
【００１２】
（３）昇降ユニット(40)
昇降ユニット(40)は、キャビネット(20)に昇降可能に取り付けられ、下降位置では、例えば図３に示すように、キャビネット(20)に収納され、上昇位置では、例えば図４及び図５に示すように、開口（図示せず）を通して天板(21)の上方に突出するものである。
（４）蓋部（例えば上枠42）
蓋部（例えば上枠42）は、例えば図２に示すように、昇降ユニット(40)の上端部に位置し、当該昇降ユニット(40)の下降位置において、開口（図示せず）を閉じるものである。
【００１３】
（５）テーブル(50)
テーブル(50)は、例えば図１及び図２に示すように、昇降ユニット(40)に旋回可能に支持され、例えば図１に示すように、当該昇降ユニット(40)の上昇位置において昇降ユニット(40)の前方に開く展開位置と、例えば図２に示すように、展開位置から昇降ユニット(40)に向かって折り畳まれ、開口を通過可能な折畳位置との間で旋回するものである。
【００１４】
（６）付勢手段（例えば定荷重バネ60）
付勢手段（例えば定荷重バネ60）は、例えば図７に示すように、昇降ユニット(40)を下降位置から上昇位置に向かって付勢するものである。
（７）第１ロック手段(80)
第１ロック手段(80)は、例えば図６に示すように、付勢手段（例えば定荷重バネ60）の付勢力に抗して昇降ユニット(40)を下降位置にロックするとともに、当該ロック状態において、蓋部（例えば上枠42）が下方に押し込まれた際に、ロック状態を解除可能なものである。
【００１５】
（８）第２ロック手段(90)
第２ロック手段(90)は、例えば図１６に示すように、テーブル(50)を折畳位置から展開位置に向かって旋回させたときに、当該展開位置にテーブル(50)をロックするとともに、テーブル(50)を展開位置を行き過ぎて旋回させた際に、ロック状態を解除可能なものである。
【００１６】
（９）第３ロック手段(100)
第３ロック手段(100)は、例えば図９、図１０に示すように、第２ロック手段(90)がロック状態となったことに連動させて、昇降ユニット(40)を上昇位置にロックするとともに、第２ロック手段(90)のロック状態が解除されたことに連動させて、ロック状態を解除可能なものである。
（請求項２）
請求項２に記載の発明は、上記した請求項１に記載の発明の特徴点に加え、次の点を特徴とする。
【００１７】
すなわち、昇降ユニット(40)とテーブル(50)との間には、次の構成を備える。
（１）展開手段（図示せず）
展開手段は、図示しないが、テーブル(50)を折畳位置から展開位置に向かって付勢するものである。
（２）第４ロック手段(110)
第４ロック手段(110)は、例えば図１１に示すように、展開手段の付勢力に抗してテーブル(50)を折畳位置にロックするとともに、昇降ユニット(40)の上昇位置において、ロックを解除可能なものである。
（請求項３）
請求項３に記載の発明は、上記した請求項２に記載の発明の特徴点に加え、次の点を特徴とする。
【００１８】
すなわち、昇降ユニット(40)とテーブル(50)との間には、例えば図１７、図１８に示すように、次の構成を備える。
（１）仮ロック手段(120)
仮ロック手段(120)は、例えば図１７、図１８に示すように、展開手段（図示せず）の付勢力によりテーブル(50)を折畳位置から展開位置に向かって旋回した際に弾性的に当接することで、展開手段の付勢力を受け止めるものである。
（請求項４）
請求項４に記載の発明は、上記した請求項１〜３のいずれか１項に記載の発明の特徴点に加え、次の点を特徴とする。
【００１９】
すなわち、キャビネット(20)内には、例えば図１に示すように、次の構成を備える。
（１）サイドレール(31)
サイドレール(31)は、例えば図１に示すように、左右一対有り、昇降ユニット(40)の左右両側を昇降可能に支持するものである。
（２）センターレール(34)
センターレール(34)は、例えば図１に示すように、左右のサイドレール(31)の間に位置し、昇降ユニット(40)の左右方向の傾きを防止するためのものである。
【発明の効果】
【００２０】
本発明は、以上のように構成されているので、以下に記載されるような効果を奏する。
（請求項１）
請求項１に記載の発明によれば、次のような効果を奏する。
すなわち、請求項１に記載の発明によれば、バネ等の付勢手段を用いてテーブルを昇降することができる。
【００２１】
このため、請求項１に記載の発明によれば、電源供給が不要であり、上記した従来の格納式収納容器と比較して、設置が容易であり、又、構造も簡便にできる利点がある。
また、請求項１に記載の発明によれば、テーブルを上昇させる際に、昇降ユニットの蓋部をキャビネット内に押し込むだけで良く、操作性が良い。
さらに、請求項１に記載の発明によれば、テーブルを折畳位置から展開位置に向かって旋回させることにより、昇降ユニットを上昇位置にロックできるので、昇降ユニットを上昇位置にロックさせるための特別の操作が不要であり、又、昇降ユニットを上昇位置にロックし忘れを防止できる。
【００２２】
また、請求項１に記載の発明によれば、テーブルを展開位置を行き過ぎて旋回させることにより、昇降ユニットを上昇位置のロックを解除できるので、昇降ユニットの上昇位置のロックを解除させるための特別の操作が不要である。
（請求項２）
請求項２に記載の発明によれば、上記した請求項１に記載の発明の効果に加え、次のような効果を奏する。
【００２３】
すなわち、請求項２に記載の発明によれば、昇降ユニットを上昇位置において、テーブルを自動的に展開させることができる。
（請求項３）
請求項３に記載の発明によれば、上記した請求項２に記載の発明の効果に加え、次のような効果を奏する。
【００２４】
すなわち、請求項３に記載の発明によれば、テーブルが展開位置を過ぎて旋回するのを未然に防止することができる。
（請求項４）
請求項４に記載の発明によれば、上記した請求項１〜３のいずれか１項に記載の発明の効果に加え、次のような効果を奏する。
【００２５】
すなわち、請求項４に記載の発明によれば、昇降時の昇降ユニットの傾きのを未然に防止することができる。
すなわち、請求項１に記載の発明によれば、昇降ユニットの端が押されたときに、昇降ユニットが仮に傾いてしますと、キャビネット内に収納し難くなるおそれがあり、これを防止することができる。また、昇降ユニットの端が押されたときに、昇降ユニットが仮に傾いてしますと、第１ロック手段のロック状態の解錠動作やロック動作が不確実になるおそれがあり、これらも防止することができる。
【図面の簡単な説明】
【００２６】
【図１】昇降装置の斜視図である。
【図２】図１に対応し、同図は昇降ユニットの下降状態を示す斜視図である。
【図３】キャビネットの側面図である。
【図４】図３に対応し、同図は昇降ユニットの上昇状態を示す側面図である。
【図５】図３に対応し、同図はテーブルの展開状態を示す側面図である。
【図６】第１ロック手段を説明するための昇降装置の一部斜視図である。
【図７】昇降ユニットと固定フレームのサイドレールを分解した状態を示す斜視図である。
【図８】テーブルを展開する途中の状態を示す昇降ユニットの一部斜視図である。
【図９】第３ロック手段を説明するための昇降ユニットの一部斜視図である。
【図１０】図９に対応し、第３ロック手段のロック状態を説明するための昇降ユニットの一部斜視図である。
【図１１】第４ロックプレートの一部斜視図である。
【図１２】昇降ユニットの縦枠の一部斜視図である。
【図１３】固定フレームのサイドレールと昇降ユニットの縦枠との一部斜視図である。
【図１４】昇降ユニットの縦枠の斜視図である。
【図１５】昇降ユニットの縦枠の分解斜視図である。
【図１６】第２ロックプレートの一部斜視図である。
【図１７】仮ロック手段を説明するための昇降ユニットの一部斜視図である。
【図１８】図１７に対応し、テーブルの上方に向かって旋回させた状態を説明するための昇降ユニットの一部斜視図である。
【図１９】昇降装置の斜視図である。
【発明を実施するための形態】
【００２７】
（昇降装置10）
図１〜５中、10は、昇降装置10を示し、この昇降装置10は、キャビネット20に組み込まれ、後述するテーブル50を昇降するためのものである。
キャビネット20は、キッチン用のアイランドカウンター、システムキッチンとして使用される。
【００２８】
なお、キャビネット20は、キッチン用に限定されず、他の家具でも良いし、或いは事務機器であっても良い。
具体的には、キャビネット20は、図３〜５に示すように、中空な箱形に形成され、上面には天板21を有する。天板21には、図示しないが、昇降装置10が昇降するための開口が形成されている。
【００２９】
昇降装置10は、大別すると、次のパーツを備える。
なお、次の（１）〜（８）については後述する。
（１）固定フレーム30
（２）昇降ユニット40
（３）テーブル50
（４）定荷重バネ60（付勢手段）
（５）ダンパー70（制動手段）
（６）第１ロック手段80（昇降ユニット40の収納位置のロック機構）
（７）第２ロック手段90（テーブル50の展開位置のロック機構）
（８）第３ロック手段100（昇降ユニット40の上昇位置のロック機構）
なお、昇降装置10のパーツは、上記した（１）〜（８）に限定されない。
（固定フレーム30）
固定フレーム30は、図示しないが、キャビネット20の内部に固定される。
【００３０】
具体的には、固定フレーム30は、図１に示すように、左右一対のサイドレール31,31と、左右のサイドレール31の上下を連結する上側フレーム32と下側フレーム33とを、カタカナの「ロ」字形や、漢字の「口」字形に組んでいる。
そして、左右のサイドレール31,31の間には、上下が上側フレーム32と下側フレーム33とに連結されたセンターレール34を設けている。
【００３１】
左右のサイドレール31、及びセンターレール34には、後述する昇降ユニット40が昇降可能に支持される。特に、センターレール34は、昇降ユニット40の昇降時の傾きを防止するためのものである。
上側フレーム32には、図示しないが、後述する昇降ユニット40が通過可能な開口を有する。
（昇降ユニット40）
昇降ユニット40は、図１〜５に示すように、固定フレーム30の左右のサイドレール31、及びセンターレール34に昇降可能に取り付けられ、下降位置では、図３に示すように、キャビネット20に収納され、上昇位置では、図４及び図５に示すように、開口（図示せず）を通して天板21の上方に突出するものである。
【００３２】
具体的には、昇降ユニット40は、図１に示すように、左右一対の縦枠41,41と、左右の縦枠41の上下を連結する上枠42と下枠43とを、カタカナの「ロ」字形や、漢字の「口」字形に組んでいる。
また、左右の縦枠41の高さの途中には、中間枠44を渡し、全体として漢字の「日」の字形に昇降ユニット40を組んでいる。
【００３３】
左右の縦枠41は、固定フレーム30の左右のサイドレール31にそれぞれ昇降可能に取り付けされる。
上枠42は、ユニットフレーム50の下降位置において、図示しないが、キャビネット20の開口を閉じる蓋部として機能する。上枠42の上面は、ユニットフレーム50の下降位置において、キャビネット20の天板21とほぼ面一となる。
【００３４】
なお、蓋部として、上枠42を例示したが、これに限定されない。
下枠43は、固定フレーム30のセンターレール34に昇降可能に取り付けられる。
中間枠44は、昇降ユニット40の上昇位置において、図示しないが、上枠42と同様に、キャビネット20の開口を閉じる蓋部として機能する。このため、昇降ユニット40の上昇位置において、天板21上のものが、キャビネット20の開口を通してキャビネット20内に落下するのを防止できる。また、中間枠44は、昇降ユニット40の補強としても機能する。
（テーブル50）
テーブル50は、図１及び図２に示すように、昇降ユニット40に旋回可能に支持され、図１に示すように、昇降ユニット40の上昇位置において昇降ユニット40の前方に開く展開位置と、図２に示すように、展開位置から昇降ユニット40に向かって折り畳まれ、開口（図示せず）を通過可能な折畳位置との間で旋回するものである。
【００３５】
具体的には、テーブル50には、図１７及び図１８に示すように、次のパーツを備える。
なお、テーブル50のパーツは、次の（１）〜（３）に限定されない。
（１）回転ヒンジ51
回転ヒンジ51は、テーブル50を回転可能に支持するためのものである。
回転ヒンジ51は、図１７及び図１８に示すように、昇降ユニット40の左右の縦枠41の上端部に取り付けられ、上枠42の下側に位置する。
【００３６】
（２）スライドヒンジ52
スライドヒンジ52は、図１７及び図１８に示すように、昇降ユニット40の左右の縦枠41の高さの途中に昇降可能に取り付けられ、後述するリンクバー53を介してテーブル50に連結される。
（３）リンクバー53
リンクバー53は、図１７及び図１８に示すように、一端部がテーブル50に回転可能に支持され、他端部がスライドヒンジ52に回転可能に支持される。
【００３７】
テーブル50が、回転ヒンジ51を旋回すると、リンクバー53を介してスライドヒンジ52が昇降する。
（定荷重バネ60（付勢手段））
定荷重バネ60は、図７に示すように、昇降ユニット40を下降位置から上昇位置に向かって付勢するものであり、付勢手段を構成する。
【００３８】
なお、付勢手段として、定荷重バネ60を例示したが、これに限定されない。
（ダンパー70（制動手段））
ダンパー70は、定荷重バネ60の付勢力を減衰するためのものであり、制動手段を構成する。
具体的には、ダンパー70として、ピストンダンパーが使用され、昇降ユニット40が定荷重バネ60のばね力により上昇する際にのみ制動力が働き、上昇した昇降ユニット40を手で押し上げる際には制動力が働かないようにしている。
【００３９】
このため、昇降ユニット40の上昇時に、ダンパー70の制動力が働き、昇降ユニット40はゆっくりと且つ静粛に上昇する。
なお、ダンパー70として、ダンパー70を例示したが、これに限定されない。
（第１ロック手段80）
第１ロック手段80は、図６に示すように、定荷重バネ60（付勢手段）の付勢力に抗して昇降ユニット40を下降位置にロックするとともに、当該ロック状態において、上枠42（蓋部）が下方に押し込まれた際に、ロック状態を解除可能なものである。
【００４０】
具体的には、第１ロック手段80には、図６に示すように、次のパーツを備える。
なお、第１ロック手段80のパーツは、次の（１）及び（２）に限定されない。
（１）第１ロックレバー81
第１ロックレバー81は、図６に示すように、昇降ユニット40の下枠43に旋回可能に取り付けられる。第１ロックレバー81には、図示しないが、後述する第１ロックプレート82のハートカム溝83をトレースする第１ロックピンを有する。
【００４１】
（２）第１ロックプレート82
第１ロックプレート82は、図６に示すように、固定フレーム30の下側フレーム33に固定される。第１ロックプレート82には、第１ロックレバー81の第１ロックピン（図示せず）がトレースするハートカム溝83を設けている。
すなわち、昇降ユニット40を下降位置においては、第１ロックレバー81の第１ロックピン（図示せず）がハートカム溝83にロックされている。
【００４２】
昇降ユニット40を下降位置において、上枠42（蓋部）が押し下げれると、第１ロックレバー81の第１ロックピン（図示せず）がハートカム溝83中を移動することで、ロック状態が解除され、第１ロックピンはハートカム溝83の一方の開口端から抜け出る。
このため、第１ロック手段80のロック状態が解除され、定荷重バネ60（付勢手段）のばね力により、昇降ユニット40が上昇する。
【００４３】
昇降ユニット40の上昇位置での規制は、図示しないが、昇降ユニット40の当接部が固定フレーム30のストッパー部に当接することで規制している。
一方、上昇した昇降ユニット40を手で押し上げると、第１ロックレバー81の第１ロックピン（図示せず）がハートカム溝83の他方の開口端からハートカム溝83中に進行する。
昇降ユニット40の下降位置を行き過ぎるまで押し下げ、手を離すと、定荷重バネ60（付勢手段）のばね力により、昇降ユニット40が若干上昇し、このとき、第１ロックレバー81の第１ロックピン（図示せず）がハートカム溝83にロックされ、昇降ユニット40を下降位置にロックする。
（第２ロック手段90）
第２ロック手段90は、図１６に示すように、テーブル50を折畳位置から展開位置に向かって旋回させたときに、当該展開位置にテーブル50をロックするとともに、テーブル50を展開位置を行き過ぎて旋回させた際に、ロック状態を解除可能なものである。
【００４４】
具体的には、第２ロック手段90には、次のパーツを備える。
なお、第２ロック手段90のパーツは、次の（１）及び（２）に限定されない。
（１）第２ロックピン91
第２ロックピン91は、スライドヒンジ52から下方に長く延びる連動棒93の下端部から突出する。
【００４５】
連動棒93は、スライドヒンジ52と一体に昇降し、昇降ユニット40の縦枠41に沿ってスライドする。スライドヒンジ52は、テーブル50を折畳位置から展開位置に旋回させると上昇し、このとき、第２ロックピン91も上昇する。また、テーブル50を展開位置から折畳位置に旋回させると、スライドヒンジ52が下降し、このとき、第２ロックピン91も下降する。
（２）第２ロックプレート92
第２ロックプレート92は、昇降ユニット40の縦枠41に固定される。第２ロックプレート92には、第２ロックピン91がトレースするカム溝94を設けている。
【００４６】
カム溝94には、第２ロックピン91が上昇する際に通過する往路95と、下降時に通過する復路96とを有する。
往路95には、その高さの途中に、第２ロックピン91がはまり込むロック溝97を設けている。ロック溝97に第２ロックピン91がはまり込んだ位置で、テーブル50を展開位置にロックしている。
【００４７】
展開位置にロックされたテーブル50を、展開位置を少し行き過ぎるまで持ち上げると、第２ロックピン91がロック溝97から係脱し、ロック状態が解除される。
その後、テーブル50を、展開位置から折畳位置に旋回させると、第２ロックピン91が往路95に戻らずに、復路96を通って通過する。
（第３ロック手段100）
第３ロック手段100は、図９、図１０に示すように、第２ロック手段90がロック状態となったことに連動させて、昇降ユニット40を上昇位置にロックするとともに、第２ロック手段90のロック状態が解除されたことに連動させて、ロック状態を解除可能なものである。
【００４８】
具体的には、第３ロック手段100には、次のパーツを備える。
なお、第３ロック手段100のパーツは、次の（１）〜（３）に限定されない。
（１）レバー101
レバー101は、固定フレーム30のサイドレール31に回転可能に取り付けられる。
具体的には、レバー101は、Ｔ字形に形成され、その中央がサイドレール31に軸止される。Ｔ字形のレバー101の下方に延びた下端部には、図示しないが、昇降ユニット40の縦枠41に向かって突出した第３ロックピンを設けている。第３ロックピンは、後述する第３ロックプレート102のロック溝105にはまり込むことで、昇降ユニット40を上昇位置にロックする。そして、レバー101には、図示しないが、バネが取り付けられ、第３ロックピンがロック溝105にはまり込む方向に付勢されている。
【００４９】
また、Ｔ字形のレバー101の左右に延びた一方の端部には、第３ロックピンと同様に、昇降ユニット40の縦枠41に向かって突出したカムピン104を設けている。
（２）第３ロックプレート102
第３ロックプレート102は、昇降ユニット40の縦枠41に固定される。第３ロックプレート102には、レバー101の第３ロックピンがはまり込むロック溝105を設けている。
【００５０】
（３）スライドカム103
スライドカム103は、昇降ユニット40の縦枠41に昇降可能に取り付けられ、前述したスライドヒンジ52から下方に長く延びる連動棒93の昇降に連動している。
具体的には、スライドカム103には、左右に張り出したカム突起106を設けている。カム突起106は、レバー101のカムピン104と摺接する。
【００５１】
すなわち、テーブル50の折畳位置では、スライドカム103が下降し、そのカム突起106にレバー101のカムピン104が当接する。このため、レバー101の第３ロックピンがロック溝105に入り込めず、第３ロック手段100のロックの解除状態が維持される。
このため、昇降ユニット40が上昇しても、テーブル50の折畳位置を維持する限り、第３ロック手段100のロック状態が解除されたままとなる。
【００５２】
これに対し、昇降ユニット40を上昇後、テーブル50を折畳位置から展開位置に旋回すると、スライドヒンジ52及び連動棒93が上昇し、これに連動してスライドカム103が上昇する。
このため、スライドカム103のカム突起106と、レバー101のカムピン104とが離隔し、レバー101は、図示しないが、バネ力により回転し、第３ロックピンがロック溝105にはまり込むことで、第３ロック手段100がロック状態となり、昇降ユニット40を上昇位置にロックする。
【００５３】
一方、テーブル50を展開位置から折畳位置に旋回すると、スライドヒンジ52及び連動棒93が下降し、これに連動してスライドカム103が下降する。
このため、レバー101のカムピン104が、スライドカム103のカム突起106に押されてレバー101が回転する。レバー101の回転により、その第３ロックピンがロック溝105か抜け出て、
第３ロック手段100のロック状態が解除される。
（使用方法）
つぎに、上記した構成を有する昇降装置10の使用方法について説明する。
【００５４】
まず、図２及び図３に示すように、キャビネット20内に収納されたテーブル50を使用するには、開口（図示せず）を通して昇降ユニット40の上枠42（蓋部）を、キャビネット20内に手で少し押し込めば良い。
上枠42（蓋部）が少し押し込まれると、第１ロック手段80のロック状態が解除され、定荷重バネ60（付勢手段）のばね力により、図１及び図４に示すように、昇降ユニット40が上昇する。
【００５５】
つぎに、折畳位置のテーブル50に手を掛けて、図１及び図５に示すように、テーブル50を上方に向かって旋回すれば良い。
テーブル50を上方に旋回させると、第２ロック手段90がロックし、テーブル50が展開位置にロックされる。
このとき同時に、第３ロック手段100もロックし、昇降ユニット40が上昇位置にロックされる。
【００５６】
使用後、テーブル50をキャビネット20内に再度、収納するには、テーブル50を手で上方に持ち上げるようにし、展開位置を行き過ぎるまで上方に向かって少し旋回すれば良い。
テーブル50を上方に向かって少し旋回すると、第２ロック手段90のロック状態が解除される。このため、テーブル50を下向きに旋回することで、昇降ユニット40に沿うように折り畳むことができる。
【００５７】
テーブル50を折畳位置に旋回すると、第３ロック手段100のロック状態も解除される。
このため、昇降ユニット40をキャビネット20内に向かって下降させ、最後に、開口（図示せず）を通して昇降ユニット40の上枠42（蓋部）を、キャビネット20内に手で少し押し込めば良い。
上枠42（蓋部）をキャビネット20内に少し押まれると、第１ロック手段80が再度、ロックし、昇降ユニット40をキャビネット20内に収納された下降位置にロックする。
（昇降装置10の変形例）
つぎに、昇降装置10の変形例について説明する。
【００５８】
本変形例に係る昇降装置10の特徴は、テーブル50が、昇降ユニット40の上昇位置において、折畳位置から展開位置に自動的に旋回するようにした点にある。
具体的には、本変形例に係る昇降装置10は、次のパーツを備える。
なお、次の（１）〜（３）については後述する。
（１）展開手段（図示せず）
（２）第４ロック手段110（図１１参照）
（３）仮ロック手段120（図１７、図１８）
なお、本変形例に係る昇降装置10のパーツは、上記した（１）〜（３）に限定されない。
（展開手段）
展開手段は、図示しないが、テーブル50を折畳位置から展開位置に向かって付勢するものである。
【００５９】
具体的には、展開手段として、図示しないが、コイルバネを使用にし、当該コイルバネをテーブル50の回転ヒンジ51に内蔵させている。
（第４ロック手段110）
第４ロック手段110は、図１１に示すように、展開手段（図示せず）の付勢力に抗してテーブル50を折畳位置にロックするとともに、昇降ユニット40の上昇位置において、ロックを解除可能なものである。
【００６０】
具体的には、第４ロック手段110には、次のパーツを備える。
なお、第４ロック手段110のパーツは、次の（１）及び（２）に限定されない。
（１）第４ロックプレート111
第４ロックプレート111は、昇降ユニット40の縦枠41に前後方向にスライド可能に取り付けられる。
【００６１】
具体的には、第４ロックプレート111には、前述した第２ロック手段90の第２ロックピン91がはまり込むロック溝113と、後述するカムピン112が通過する略Ｓ字形に屈曲したカム溝114とを設けている。
第４ロックプレート111には、図示しないが、バネが取り付けられ、第２ロックピン91がロック溝113にはまり込む方向に付勢されている。ロック溝113に第２ロックピン91がはまり込んだ状態で、第４ロック手段110はロック状態となり、テーブル50が折畳位置にロックされる。
【００６２】
これに対し、カム溝114を、後述するカムピン112が通過すると、バネの付勢方向と反対向きに第４ロックプレート111がスライドする。第２ロックピン91がロック溝113にはまり込んだ状態で、カム溝114をカムピン112が通過すると、ロック溝113から第２ロックピン91が抜け出て、第４ロック手段110はロック状態が解除される。
このため、テーブル50は、回転ヒンジ51に内蔵された展開手段（図示せず）の付勢力により、折畳位置から展開位置に向かって旋回する。
【００６３】
（２）カムピン112
カムピン112は、固定フレーム30のサイドレール31に固定されている。
カムピン112は、第４ロックプレート111のカム溝114を通過するものである。昇降ユニット40が上昇し、テーブル50の全体がキャビネット20の天板21の上方に露出した状態で、カムピン112がカム溝114を通過するように設定され、当該通過により、第４ロック手段110はロック状態が解除される。
（仮ロック手段120）
仮ロック手段120は、図１７、図１８に示すように、展開手段（図示せず）の付勢力によりテーブル50を折畳位置から展開位置に向かって旋回した際に弾性的に当接することで、展開手段の付勢力を受け止めるものである。
【００６４】
具体的には、仮ロック手段120は、昇降ユニット40の縦枠41に取り付けられる。仮ロック手段120は、ボタン状に形成され、スライドヒンジ52の進路内に出没可能に取り付けられ、図示しないが、バネ等により弾性的に突出する。
すなわち、回転ヒンジ51に内蔵された展開手段（図示せず）の付勢力により、テーブル50が折畳位置から展開位置に向かって旋回すると、スライドヒンジ52が上昇する。テーブル50が展開位置まで旋回すると、第２ロック手段90によりロックされるが、このとき、スライドヒンジ52が仮ロック手段120に当接することで、テーブル50が展開位置を行き過ぎるのを未然に防止している。
【００６５】
一方、第２ロック手段90のロックを解除するために、テーブル50を展開位置を少し行き過ぎるまで上方に旋回させるが、このとき、上昇するスライドヒンジ52に押されて、仮ロック手段120が引っ込み、スライドヒンジ52が仮ロック手段120上を通過できるようにしている。スライドヒンジ52の通過後、第２ロック手段90は、再度、突出する。
（使用方法）
つぎに、上記構成を有する本変形例に係る昇降装置10の使用方法を説明する。
【００６６】
まず、図２及び図３に示すように、キャビネット20内に収納されたテーブル50を使用するには、開口（図示せず）を通して昇降ユニット40の上枠42（蓋部）を、キャビネット20内に手で少し押し込めば良い。
上枠42（蓋部）が少し押し込まれると、第１ロック手段80のロック状態が解除され、定荷重バネ60（付勢手段）のばね力により、図１及び図４に示すように、昇降ユニット40が上昇する。
【００６７】
昇降ユニット40が上昇して、テーブル50の全体がキャビネット20の天板21の上方に露出すると、第４ロック手段110はロック状態が解除される。
このため、テーブル50は、回転ヒンジ51に内蔵された展開手段（図示せず）の付勢力により、折畳位置から展開位置に向かって旋回する。
テーブル50は、仮ロック手段120により展開位置まで旋回して停止し、このとき、第２ロック手段90がロックし、テーブル50が展開位置にロックされる。
【００６８】
このとき同時に、第３ロック手段100もロックし、昇降ユニット40が上昇位置にロックされる。
使用後、テーブル50をキャビネット20内に再度、収納するには、テーブル50を手で上方に持ち上げるようにし、展開位置を行き過ぎるまで上方に向かって少し旋回すれば良い。
テーブル50を上方に向かって少し旋回すると、第２ロック手段90のロック状態が解除される。このため、テーブル50を下向きに旋回することで、昇降ユニット40に沿うように折り畳むことができる。
【００６９】
テーブル50を折畳位置に旋回すると、第４ロック手段110が再度、ロックし、テーブル50は折畳位置にロックされる。
また同時に、第３ロック手段100のロック状態も解除される。
このため、昇降ユニット40をキャビネット20内に向かって下降させ、最後に、開口（図示せず）を通して昇降ユニット40の上枠42（蓋部）を、キャビネット20内に手で少し押し込めば良い。
【００７０】
上枠42（蓋部）をキャビネット20内に少し押まれると、第１ロック手段80が再度、ロックし、昇降ユニット40をキャビネット20内に収納された下降位置にロックする。
【符号の説明】
【００７１】
10  昇降装置
20  キャビネット          21  天板
30  固定フレーム
31  サイドレール          32  上側フレーム
33  下側フレーム          34  センターレール
40  昇降ユニット
41  縦枠                  42  上枠（蓋部）
43  下枠                  44  中間枠
50  テーブル
51  回転ヒンジ            52  スライドヒンジ
53  リンクバー
60  定荷重バネ（付勢手段）
70  ダンパー（制動手段）
80  第１ロック手段
81  第１ロックレバー      82  第１ロックプレート
83  ハートカム溝
90  第２ロック手段
91  第２ロックピン        92  第２ロックプレート
93  連動棒                94  カム溝
95  往路                  96  復路
97  ロック溝
100  第３ロック手段
101  レバー               102  第３ロックプレート
103  スライドカム         104  カムピン
105  ロック溝             106  カム突起
110  第４ロック手段
111  第４ロックプレート   112  カムピン
113  ロック溝             114  カム溝
120  仮ロック手段
【図１】
2010200852.tif 000003
【図２】
2010200852.tif 000004
【図３】
2010200852.tif 000005
【図４】
2010200852.tif 000006
【図５】
2010200852.tif 000007
【図６】
2010200852.tif 000008
【図７】
2010200852.tif 000009
【図８】
2010200852.tif 000010
【図９】
2010200852.tif 000011
【図１０】
2010200852.tif 000012
【図１１】
2010200852.tif 000013
【図１２】
2010200852.tif 000014
【図１３】
2010200852.tif 000015
【図１４】
2010200852.tif 000016
【図１５】
2010200852.tif 000017
【図１６】
2010200852.tif 000018
【図１７】
2010200852.tif 000019
【図１８】
2010200852.tif 000020
【図１９】
2010200852.tif 000021